(57)【要約】  本発明は、第１の反射面（２１，３２１）と第２の反射面（８１，３８１）との間の移動と回転との少なくとも一方を測定するための多軸微分干渉計（１）に関する。測定は、少なくとも２対のビームを使用して実行され、各対は、２つの反射面のうち一方の反射面（２１，３２１）に射出される測定ビーム（Ｍｂ）と、２つの反射面のうち他方の反射面（８１，３８１）に射出される基準ビーム（Ｒｂ）とによって形成され、干渉計（１）は、第１の光学モジュール（２０）と第２の光学モジュール（４０）とを具備し、各光学モジュール（２０，４０）は、それぞれのコヒーレントビームを受光して、これらから２対の一方を生成するように構成されている。本発明は、さらに、このような干渉計を具備るリソグラフィシステム、及びこのような多軸微分干渉計を組み立てるための方法に関する。
2015530587.tif 000002
【特許請求の範囲】
【請求項１】
第１の反射面（２１，３２１）と第２の反射面（８１，３８１）との間の移動と回転との少なくとも一方を測定するための多軸微分干渉計（１）であって、
前記測定は、少なくとも２対のビームを使用して実行され、
各対は、前記２つの反射面のうち一方の反射面（２１，３２１）に射出される測定ビーム（Ｍｂ）と、前記２つの反射面のうち他方の反射面（８１，３８１）に射出される基準ビーム（Ｒｂ）とによって形成され、
干渉計（１）は、第１の光学モジュール（２０）と、第２の光学モジュール（４０）とを具備し、各光学モジュール（２０，４０）は、それぞれのコヒーレントビームを受光して、これらから前記２対の一方を生成するように構成されている多軸微分干渉計（１）。
【請求項２】
前記光学モジュール（２０，４０，６０）は、同じ形態を有する請求項１の多軸微分干渉計（１）。
【請求項３】
前記光学モジュール（２０，４０，６０）は、横並びスタックを形成するように配置されている請求項１又は２の多軸微分干渉計（１）。
【請求項４】
前記３つの光学モジュール（２０，４０，６０）は、ほぼ平行な前記測定ビーム（Ｍｂ）を射出するように配置されている請求項２又は３の多軸微分干渉計（１）。
【請求項５】
前記光学モジュール（２０，４０，６０）の各々は、
ｉ）それぞれのコヒーレントビームを前記測定ビーム（Ｍｂ）及び対応する前記基準ビーム（Ｒｂ）に分割するためのビームスプリッタ（３０１，４０１）と、
ｉｉ）前記２つの反射面のうち一方の反射面（２１，３２１）によって反射された前記測定ビーム（Ｍｂ）を、前記２つの反射面のうち他方の反射面（８１，３８１）によって反射されたその関連する基準ビーム（Ｒｂ）と結合して対応する結合ビーム（Ｃｂ）にするためのビーム結合器（３０１，４０１）と、
ｉｉｉ）前記結合ビーム（Ｃｂ）を受光するためのビーム受光器（３０５，３０６，３０７，３０８，３０９，３１０，３１１，４０８）とを具備する請求項１ないし４のいずれか１の多軸微分干渉計（１）。
【請求項６】
前記光学モジュールは、互いに取り付けられている請求項１ないし５のいずれか１の多軸微分干渉計。
【請求項７】
前記第１の光学モジュール（２０）と前記第２の光学モジュール（４０）との間に配置された第１のアライメント体（８０）をさらに具備する請求項１ないし６のいずれか１の多軸微分干渉計。
【請求項８】
前記測定は、３対のビームを使用して実行され、
各対は、測定ビーム（Ｍｂ）と基準ビーム（Ｒｂ）とによって形成され、
干渉計（１）は、さらなるそれぞれのコヒーレントビームを受光して、これらからさらなる測定ビーム（Ｍｂ）とさらなる基準ビーム（Ｒｂ）とによって形成されたさらなる１対のビームを生成するように構成された第３の光学モジュール（６０）を具備する請求項１ないし７のいずれか１の多軸微分干渉計（１）。
【請求項９】
第２のアライメント体（８１）が、前記第２の光学モジュール（４０）と前記第３の光学モジュール（６０）との間に配置されている請求項８の多軸微分干渉計（１）。
【請求項１０】
前記３つの光学モジュール（２０，４０，６０）は、前記測定ビーム（Ｍｂ）を非同一平面上に射出するように配置されている請求項８又は９の多軸微分干渉計（１）。
【請求項１１】
前記第１のアライメント体（８０）は、硬化された接着剤を含む請求項７に直接的又は間接的に従属する請求項７ないし１０のいずれか１の多軸微分干渉計（１）。
【請求項１２】
前記第２のアライメント体（８１）は、硬化された接着剤を含む請求項９に直接的又は間接的に従属する請求項９ないし１１のいずれか１の多軸微分干渉計（１）。
【請求項１３】
前記第１のアライメント体（８０）は、テーパ状のくさび（１８３）を有する請求項７に直接的又は間接的に従属する請求項７ないし１２のいずれか１の多軸微分干渉計（１）。
【請求項１４】
前記第２のアライメント体（８１）は、テーパ状のくさび（１８３）を有する請求項９に直接的又は間接的に従属する請求項９ないし１３のいずれか１の多軸微分干渉計（１）。
【請求項１５】
前記基準ビーム（Ｒｂ）は、前記測定ビーム（Ｍｂ）に対応する形態で射出される請求項１ないし１４のいずれか１の多軸微分干渉計（１）。
【請求項１６】
前記光学モジュール（２０，４０，６０）は、これらのそれぞれの基準ビーム（Ｒｂ）がほぼ同一平面上に射出されるように配置されている請求項１ないし１５のいずれか１の多軸微分干渉計（１）。
【請求項１７】
全ての光学モジュール（２０，４０，６０）が、前記光学モジュールの各々が前記測定ビームを通過させるための開口と前記基準ビームを通過させるための開口とを有するように非対称であるように向けられたこれらのそれぞれの開口（１２１，１２２，１４１，１４２，１６１，１６２）を有し、
各光学モジュール（２０，４０，６０）内で、前記開口は、線の上に配置され、各々は、前記線に沿った前記光学モジュールのハウジングの最も近いそれぞれのエッジから異なる距離（ｄ５，ｄ６）で配置され、
前記第１の光学モジュール（２０）及び前記第３の光学モジュール（６０）は、同じ回転向きで微分干渉計に配置され、前記第２の光学モジュール（４０）は、前記向きに対して１８０度で、前記開口を含む面に平行な平面で回転して配置されている請求項１６の多軸微分干渉計（１）。
【請求項１８】
前記光学モジュール（２０，４０，６０）の前記ビーム受光器は、各々、
前記結合ビーム（Ｃｂ）を第１の分割ビームと第２の分割ビームとに分割するための無偏光ビームスプリッタ（３０５）を具備し、各分割ビームは、前記基準ビーム（Ｒｂ）と前記測定ビーム（Ｍｂ）との成分を含み、
前記第１の分割ビームを、第１の偏光を有する第１の偏光ビームと、第２の偏光を有する第２の偏光ビームとに分割するための第１の偏光ビームスプリッタ（３０６）と、
前記第２の分割ビームを、第３の偏光を有する第３の偏光ビームと、第４の偏光を有する第４の偏光ビームとに分割するための第２の偏光ビームスプリッタ（３０７）と、
前記無偏光ビームスプリッタ（３０５）と前記第１の偏光ビームスプリッタ（３０６）との間に、又は前記無偏光ビームスプリッタ（３０５）と前記第２の偏光ビームスプリッタ（３０７）との間に配置された半波長板（３２０）と、
前記第１の偏光ビーム、第２の偏光ビーム、第３の偏光ビーム及び第４の偏光ビームのビームパワーをそれぞれ検出するための第１の検出器（３０８）、第２の検出器（３０９）、第３の検出器（３１０）及び第４の検出器（３１１）とを具備する請求項５に直接的又は間接的に従属する請求項１ないし１７のいずれか１の多軸微分干渉計（１）。
【請求項１９】
フレーム（４）と、
前記フレーム（４）に装着され、ターゲット上に投影するための光学カラム（３６）と、
前記光学カラム（３６）に対して前記ターゲットを移動するためのターゲットキャリア（６６）とを具備し、
前記ターゲットキャリア（６６）には、第１の反射面（２１）が設けられ、前記光学カラム（３６）には、第２の反射面（８１）が設けられ、
前記第１の反射面（２１）と前記第２の反射面（８１）との間の相対移動と回転との少なくとも一方を測定するための請求項１ないし１８のいずれか１の少なくとも１つの微分干渉計（１）とを具備するリソグラフィシステム。
【請求項２０】
多軸微分干渉計（１）を組み立てる方法であって、
第１の光学モジュール（２０）と、第２の光学モジュール（４０）と、第３の光学モジュール（６０）とを与える工程を具備し、前記光学モジュールの各々は、
ｉ）それぞれのコヒーレントビームを測定ビーム（Ｍｂ）及び対応する基準ビーム（Ｒｂ）に分割するためのビームスプリッタ（３０１，４０１）と、
ｉｉ）複数の反射面のうち一方の反射面（２１，３２１）によって反射された測定ビーム（Ｍｂ）を、複数の反射面のうち他方の反射面（８１，３８１）によって反射されたその関連する基準ビーム（Ｒｂ）と結合して対応する結合ビーム（Ｃｂ）にするためのビーム結合器（３０１，４０１）と、
ｉｉｉ）前記結合ビーム（Ｃｂ）を受光するためのビーム受光器（３０５，３０６，３０７，３０８，３０９，３１０，３１１，４０８）とを具備し、
この方法は、さらに、
前記３つの対応する測定ビーム（Ｍｂ）をほぼ平行かつ同一平面上に射出するために前記光学モジュール（２０，４０，６０）をスタックで配置する工程と、
前記第１の光学モジュール（２０）と前記第２の光学モジュール（４０）との間に接着剤（８０）を塗布し、前記接着剤（８０）が硬化する前に前記第１の光学モジュール（２０）と前記第２の光学モジュール（４０）とを互いにアライメントさせる工程とをさらに具備する方法。
【請求項２１】
前記第２の光学モジュール（４０）と前記第３の光学モジュール（６０）との間にさらなる接着剤（８１）を塗布し、前記さらなる接着剤（８１）が硬化する前に前記第２の光学モジュール（４０）と前記第３の光学モジュール（６０）とを互いにアライメントさせる工程をさらに具備する請求項２０の方法。
【請求項２２】
前記測定ビーム及び前記基準ビームは、これらビームを平行に向けるように与えられる偏光スプリッタ（３０１）とプリズム（３０２）とを使用して生成され、各光学モジュールは、光学素子（３０１，３０２，３０３；３０５，３０６，３０７）が装着される平らな面（３３７）が設けられたハウジング（３２３；１２３；１４３；１６３；２３；４３；６３）を有し、前記ハウジングの各々は、直方体形状であることを特徴とする請求項１ないし１８のいずれか１の多軸微分干渉計（１）。
【発明の詳細な説明】
【技術分野】
【０００１】
本発明は、第１の反射面と第２の反射面との間の移動と回転との少なくとも一方を測定するための多軸微分干渉計に関する。本発明は、さらに、このような微分干渉計を具備するリソグラフィシステム、及びこのような微分干渉計を組み立てるための方法に関する。
【背景技術】
【０００２】
電子ビームリソグラフィツールにおいてステージ位置を測定するための干渉計が知られている。ポール・Ｇ・ハリスらは、そのステージ位置を測定するための干渉計を具備する電子ビームツールを開示している。微分干渉計は、平行に走っている測定ビームと基準ビームとを受光するための複屈折のくさびを備えた信号検出ユニットを有する。くさびは、これらビーム間に角度のずれを生成し、そして、ビームは、これらを干渉させるために４５°でアライメントされたポラロイド（登録商標）を通過する。合成の干渉パターンは、線形アレイの縞模様である。これら縞模様は、エレクトログレーティングと呼ばれる集積型線形フォトダイオードアレイとアライメントされている。エレクトログレーティングは、相対位相０°、９０°、１８０°及び２７０°の４つの電気信号を生成する。エレクトログレーティングのゲインのマッチングは、差動増幅器がレーザの強度変化に起因する信号の共通モード強度変化をなくすことを可能にし、例えば、これはよい測定性能をもたらす。微分干渉計であるにもかかわらず、この干渉計は、ステージの相対位置を測定することのみ可能である。さらに、検出器中の光学部品が注意深く位置決めされて構成されなければならないので、この干渉計は組み立てるのが難しい。
【０００３】
本発明の目的は、基準面と測定面との間の移動と回転との少なくとも一方を測定することが可能な、費用対効果の高いコンパクトな多軸微分干渉計を提供することである。本発明のさらなる目的は、組み立てるのが比較的簡単な微分干渉計を提供することである。
【発明の概要】
【０００４】
本発明は、独立請求項によって規定される。従属請求項は、効果的な実施の形態を規定している。
【０００５】
第１の態様によれば、本発明は、第１の反射面と第２の反射面との間の移動と回転との少なくとも一方を測定するための多軸微分干渉計を提供し、前記測定は、少なくとも２対のビームを使用して実行され、各対は、前記２つの反射面のうち一方の反射面に射出される測定ビームと、前記２つの反射面のうち他方の反射面に射出される基準ビームとによって形成され、干渉計は、第１の光学モジュールと、第２の光学モジュールとを具備し、各光学モジュールは、それぞれのコヒーレントビームを受光して、これらから前記２対の一方を生成するように構成されている。
【０００６】
第２の態様によれば、本発明は、多軸微分干渉計を、好ましくは上に述べられたような微分干渉計を組み立てる方法を提供し、この方法は、  
第１の光学モジュールと、第２の光学モジュールと、第３の光学モジュールとを与える工程を具備し、前記光学モジュールの各々は、  
ｉ）それぞれのコヒーレントビームを測定ビーム及び対応する基準ビームに分割するためのビームスプリッタと、  
ｉｉ）複数の反射面のうち一方の反射面によって反射された測定ビームを、複数の反射面のうち他方の反射面によって反射されたその関連する基準ビームと結合して対応する結合ビームにするためのビーム結合器と、  
ｉｉｉ）前記結合ビームを受光するためのビーム受光器とを具備し、  
この方法は、さらに、  
前記３つの対応する測定ビームをほぼ平行かつ同一平面上に射出するために前記光学モジュールをスタックで配置する工程と、  
前記第１の光学モジュールと前記第２の光学モジュールとの間に接着剤を塗布し、前記接着剤が硬化する前に前記第１の光学モジュールと前記第２の光学モジュールとを互いにアライメントさせる工程とをさらに具備する。
【０００７】
本発明の特徴の効果は、以下の通りである。多軸微分干渉計は、２対の測定−基準ビームを使用することによって得られる。さらに、このようなビームのこれら対の各々は、個々の光学モジュールで生成され、これにより、前記干渉計のモジュラリティを高め、製造を比較的簡単にする。本発明は、各光学素子が１つの測定ビーム及び１つの基準ビームを生成して取り扱う必要があるのみなので、光学素子の内部で非常に小さい光学素子を使用することを可能にする。
【０００８】
まだ発行されていない本出願人による国際特許出願番号ＰＣＴ／ＮＬ２０１２／０５０２０９は、微分干渉計モジュールを開示しており、この微分干渉計モジュールは、例えばＸ軸である１つの軸に沿った相対移動と、例えばＲｚ軸及びＲｙ軸のまわりである２つの他の軸のまわりの回転とが得られることができる信号を発生する。この微分干渉計モジュールは、３つのコヒーレントビームを与えるように構成されたビーム源と、３つのビームを測定ビームと関連する基準ビームとのそれぞれの対に分割するように構成されたビームスプリッタユニットとを具備し、前記３つの測定ビームは、第１の反射面上に入射し、前記３つの基準ビームは、前記第１の反射面に対して移動可能な第２の反射面に入射し、各反射された測定ビームをその関連する反射された基準ビームと結合して結合ビームにするための少なくとも１つのビーム結合器を具備し、各結合ビームは、対応する検出器に投影される。単一の光学素子、すなわち単一ビームスプリッタユニットのみが、３つのコヒーレントビームを３つの測定ビーム及び関連する基準ビームに分割するために使用されるので、既知の微分干渉計モジュールは、コンパクトな微分干渉計モジュールを提供する。しかしながら、既知のモジュールの欠点は、光学素子の、特にビームスプリッタユニットの寸法が、３つのコヒーレントビームを対応する測定及び基準ビームに分割するのに十分な表面積を与えるために比較的大きくなければならないことである。このような大きな要素のコストは、モジュールのコストの本質的な部分を形成する。
【０００９】
前記干渉計の一実施の形態では、前記光学モジュールは、同様の構成を有する。光学モジュールの同様の構成は、より容易な製造につながる。好ましくは、前記光学モジュールは、横並びのスタックを形成するように配置されている。この利点は、このような形態では、全ての測定ビームが反射面のうち第１の反射面に向けられることができ、同様に、全ての基準ビームが反射面のうち第２の反射面に向けられることができることであり、これは便利でコンパクトな解決策をもたらす。同様の形態を有する横並びのスタック可能な光学モジュールが、干渉計の組立てをよりいっそう簡単にする。
【００１０】
前記干渉計の一実施の形態では、前記３つの光学モジュールは、ほぼ平行な前記測定ビームを射出するように配置されている。この形態では、自由度３で測定面に対して基準面の移動と回転との少なくとも一方を決定することが可能である。
【００１１】
前記干渉計の一実施の形態では、前記光学モジュールはスタックで配置されている。したがって、多軸微分干渉計は、微分干渉計スタックモジュールを形成する。
【００１２】
前記干渉計の一実施の形態では、前記光学モジュールの各々は、  
ｉ）それぞれのコヒーレントビームを前記測定ビーム（Ｍｂ）及び対応する前記基準ビーム（Ｒｂ）に分割するためのビームスプリッタ（３０１，４０１）と、  
ｉｉ）前記２つの反射面のうち一方の反射面（２１，３２１）によって反射された前記測定ビーム（Ｍｂ）を、前記２つの反射面のうち他方の反射面（８１，３８１）によって反射されたその関連する基準ビーム（Ｒｂ）と結合して対応する結合ビーム（Ｃｂ）にするためのビーム結合器（３０１，４０１）と、  
ｉｉｉ）前記結合ビーム（Ｃｂ）を受光するためのビーム受光器（３０５，３０６，３０７，３０８，３０９，３１０，３１１，４０８）とを具備する。
【００１３】
各光学モジュールのビームスプリッタが単一のコヒーレントビームを対応する測定及び基準ビームに分割するのに十分な寸法でなければならないのみであるので、ビームスプリッタは、マルチプルコヒーレントビームを測定及び基準ビームに分割するために使用されるときよりもかなり小さくすることができる。同様に、光学モジュール中の他の光学素子も単一ビームのために寸法決めされることができる。
【００１４】
一実施の形態では、前記干渉計の光学モジュールの各々は、前記干渉計の光学モジュールの外面を形成するハウジングを有する。したがって、各光学モジュールは、自蔵のモジュールを形成している。単一の測定ビーム及び単一の対応する基準ビームを射出するように構成された個々の干渉計の光学モジュールは、かなり容易に製造され、特に、２以上の測定ビーム及び対応する基準ビームを射出する複雑な微分干渉計よりも簡単に製造される。好ましくは、干渉計の光学モジュールのハウジングは、要素を完全に覆っており、したがって、取り扱いによるほこり及びダメージから要素の内部を保護する。より好ましくは、少なくとも第２の光学モジュールの前記ハウジングは、矩形の直方体の少なくとも３側面を有し、第１の平らな側面及び第２の平らな側面が前記矩形の直方体の前記側面のうちの２つである。
【００１５】
一実施の形態では、前記第２の干渉計の光学モジュールは、近隣の第１の干渉計の光学モジュール及び第３の干渉計の光学モジュールの対応する平行な側面に対してスタックするための２つの平行な側面を有し、好ましくは、前記２つの平行な側面は、平らであるか、前記第２の干渉計の光学モジュールがその基準ビームを射出することになっている方向にほぼ平行であるかの少なくとも一方である。
【００１６】
代わりの実施の形態では、近隣の光学モジュールの側面は、光学モジュールがスタックで配置されているとき、実質的に互いに適合する部分を形成するように、突出部と対応する切り欠きとを有する。互いに適合する形態の光学モジュールによって、干渉計の光学モジュールは、スタックされたとき、自動的に互いにほぼアライメントされる。
【００１７】
一実施の形態では、第１の干渉計の光学モジュールのハウジングは、第２の干渉計の光学モジュールのハウジングの第１のほぼ平らな側面に面しているほぼ平らな側面を有し、前記第２の干渉計の光学モジュールのハウジングは、第１のほぼ平らな側面の反対側の、前記第３の干渉計の光学モジュールの前記ハウジングの平らな側面に面している第２のほぼ平らな側面を有する。したがって、第２の干渉計の光学モジュールが第１の干渉計の光学モジュールの平らな側面と第３の干渉計の光学モジュールの平らな側面との間に配置されたとき、３つの干渉計の要素は、少なくとも前記面に沿ってほぼアライメントされる。好ましくは、第２の干渉計の光学モジュールの第１のほぼ平らな側面及び第２のほぼ平らな側面は、互いにほぼ平行である。
【００１８】
一実施の形態では、前記干渉計の光学モジュールのハウジングは、ほぼ等しい外寸と形状との少なくとも一方を有する。したがって、微分干渉計の組立て中、光学モジュールがスタックされる順序は、前記光学モジュールのハウジングの形状又は寸法によって決定されない。
【００１９】
一実施の形態では、前記光学モジュールの前記ハウジングは、各々、ゼロデュア（商標）のような低熱膨張係数を有する材料を含む。低熱膨張係数材料は、特に、前記光学モジュールで使用される光学系の熱膨張係数にほぼ等しいかこれ未満の熱膨張係数を有する材料を意味する。したがって、光学系、例えばビームスプリッタ及びビーム結合器、あるいは、ビーム受光器の光学系がハウジングに固定されたとき、ハウジング内部の光学系の間の位置と向きとの少なくとも一方の変化が最小にされる。
【００２０】
一実施の形態では、前記光学モジュールは、互いに取り付けられている。
【００２１】
一実施の形態では、前記微分干渉計は、前記第１の光学モジュールと前記第２の光学モジュールとの間に配置された第１のアライメント体をさらに具備する。したがって、光学モジュールは、互いに対して容易かつ正確にアライメントされることができ、この結果、光学モジュールのハウジングの外面の不規則性が補正されることができるか、そのハウジングに対する光学モジュールの光学系のわずかなミスアライメントが補正される。
【００２２】
前記干渉計の一実施の形態では、前記測定は、３対のビームを使用して実行され、各対は、測定ビームと基準ビームとによって形成され、干渉計は、さらなるそれぞれのコヒーレントビームを受光して、これらからさらなる測定ビームとさらなる基準ビームとによって形成されたさらなる１対のビームを生成するように構成された第３の光学モジュールを具備する。この実施の形態の利点は、特に、前記測定ビームが平行であるが非同一平面上の測定ビームを射出するように構成されているとき、第３の光学モジュールの用意が測定面のさらなる回転を測定する可能性を開くことである。
【００２３】
一実施の形態では、微分干渉計は、さらに、前記第２の光学モジュールと前記第３の光学モジュールとの間に配置された第２のアライメント体を具備する。したがって、光学モジュールは、互いに対して容易かつ正確にアライメントされることができ、この結果、光学モジュールのハウジングの外面の不規則性が補正されることができるか、そのハウジングに対する光学モジュールの光学系のわずかなミスアライメントが補正される。
【００２４】
一実施の形態では、前記３つの光学モジュール（２０，４０，６０）は、前記測定ビーム（Ｍｂ）を非同一平面上に射出するように配置されている。この配置は、少なくとも２つの光学モジュールを使用して測定されることができる位置及び回転に加えて、さらなる回転を測定する可能性を開く。
【００２５】
一実施の形態では、前記第１のアライメント体は、硬化された接着剤を含む。同様に、一実施の形態では、前記第２のアライメント体は、硬化された接着剤を含む。したがって、両実施の形態では、接着剤が微分干渉計の組立て中まだ硬化していないとき、光学モジュールの位置と向きとの少なくとも一方が容易に調節されることができる。
【００２６】
一実施の形態では、前記第１のアライメント体は、テーパ状のくさびを有する。同様に、実施の形態では、前記第２のアライメント体は、テーパ状のくさびを有する。両実施の形態について、特に、硬化された接着剤と組み合わせて、これは、丈夫で十分にアライメントされた微分干渉計の構成を与える。
【００２７】
一実施の形態では、前記基準ビームは、前記測定ビームに対応する形態で射出される。例えば、測定ビームがＬ字形態で射出されたとき、第１及び第２の測定ビームは第１の平面に広がり、第２及び第３の測定ビームは前記第１の平面に垂直な第２の平面に広がり、基準ビームは同じ形態で射出される。
【００２８】
一実施の形態では、前記光学モジュールは、それぞれの基準ビームがほぼ同一平面上に射出されるように配置されている。この実施の形態では、微分干渉計は、基準ビームが非同一平面上に射出される微分干渉計よりも実質的に小さい寸法であることができる。さらに、この実施の形態による微分干渉計がリソグラフィシステムで使用されたとき、基準ビーム及び基準ビームの通過のためのリソグラフィシステムに必要とされる空間のボリュームは、同様に低減される。
【００２９】
一実施の形態では、第１の光学モジュール及び第３の光学モジュールは、同じ、すなわち同一の構造であり、第２の光学モジュールは、異なる構造である。この実施の形態では、構造の差が、特に、各光学モジュールの基準ビーム及び対応する測定ビームを射出するための開口間の距離で規定され、例えば、この距離は、同一形状の第１の光学モジュール及び第３の光学モジュールに対しては等しく、第２の光学モジュールに対しては異なり、好ましくはより少ない。
【００３０】
一実施の形態では、全ての光学モジュールが、前記光学モジュールの各々が前記測定ビームを通過させるための開口と前記基準ビームを通過させるための開口とを有するように非対称であるように向けられたこれらのそれぞれの開口を有している。各光学モジュール内で、前記開口は、線の上に配置され、各々は、前記線に沿った前記光学モジュールのハウジングの最も近いそれぞれのエッジから異なる距離で配置されている。前記第１の光学モジュール及び前記第３の光学モジュールは、同じ回転向きで微分干渉計に配置され、前記第２の光学モジュールは、前記向きに対して１８０度で、前記開口を含む面に平行な平面で回転して配置されている。前記回転は、代表的には、前記第２の光学モジュールの基準ビームの射出の方向に平行な軸まわりである。
【００３１】
前記光学モジュールの３つ全てがほぼ同じ又は同一の構造であるとき、各光学モジュールは、それを通ってその測定ビームを射出するための開口と、それを通ってその基準ビームを射出するための開口とを有する。これらの開口は、好ましくは、線の上に配置され、各々は、前記線に沿った前記光学モジュールの前記ハウジングのそれぞれの最も近いエッジから異なる距離で配置されている。３つの光学モジュールが同一の形態でスタックで配置されれば、測定ビーム及び基準ビームの両方がそれぞれの測定面及び基準面に射出される。
【００３２】
しかしながら、本実施の形態によれば、第２の光学モジュールが第１の光学モジュールと第３の光学モジュールとの間に、第１及び第３の光学モジュールに対して「上下逆さまの」形態で配置されており、これら光学モジュールは、基準ビーム及び測定ビームを非同一平面上に射出するように構成されている。したがって、多軸微分干渉計は、基準面と測定面との間の相対移動と回転との少なくとも一方を測定可能であるように得られ、光学モジュールの各々はほぼ同じ又は同一の構造である。このステージでは、この実施の形態は、微分干渉計について、測定ビーム及び基準ビームが装置の性能を妨げずに交換されることができるという事実によることが留意されるべきである。表現を変えて、どのビームが基準ビーム又は測定ビームと呼ばれるかは関係ない。微分干渉計は、前記ビーム間の経路長差を測定しているのみである。
【００３３】
一実施の形態では、前記光学モジュールの前記ビーム受光器は、各々、  
前記結合ビームを第１の分割ビームと第２の分割ビームとに分割するための無偏光ビームスプリッタを具備し、各分割ビームは、前記基準ビームと前記測定ビームとの成分を含み、  
前記第１の分割ビームを、第１の偏光を有する第１の偏光ビームと、第２の偏光を有する第２の偏光ビームとに分割するための第１の偏光ビームスプリッタと、  
前記第２の分割ビームを、第３の偏光を有する第３の偏光ビームと、第４の偏光を有する第４の偏光ビームとに分割するための第２の偏光ビームスプリッタと、  
前記無偏光ビームスプリッタと前記第１の偏光ビームスプリッタとの間に、又は前記無偏光ビームスプリッタと前記第２の偏光ビームスプリッタとの間に配置された半波長板と、  
前記第１の偏光ビーム、第２の偏光ビーム、第３の偏光ビーム及び第４の偏光ビームのビームパワーをそれぞれ検出するための第１の検出器、第２の検出器、第３の検出器及び第４の検出器とを具備する。
【００３４】
前記第１の偏光ビーム及び第３の偏光ビームの偏光は、この実施の形態では、前記第２の偏光ビーム及び第４の偏光ビームと同様に、同じである。しかしながら、半波長板は、第２の偏光ビームスプリッタに到達する前にビーム偏光が４５度で回転されることを確実にする。したがって、効果的には、第３の検出器は、１３５度回転の偏光であり、第４の検出器は、４５度回転の偏光である。結果として、４つの検出器は、４つの妨害信号を与え、各妨害信号は、代表的には、他の信号に対して位相シフトされたシヌソイド信号である。したがって、前記測定反射面と前記基準反射面との間の移動の方向を決定することが可能である。さらに、４つの信号間の内挿法を使用することによって、ここに説明されるように、測定の精度が改良されることができる。既に説明されたように、半波長板は、偏光ビームスプリッタと前記第１の偏光ビームスプリッタとの間に、又は無偏光ビームスプリッタと前記第２の偏光ビームスプリッタとの間に配置されている。利点は、第１の偏光ビームスプリッタ及び第２の偏光ビームスプリッタが、４つの異なる偏光を与えるために互いに４５度の角度である必要がないということである。したがって、光学モジュール内の光学素子は、ハウジングの一方の側に装着されることができ、これにほぼ平行なハウジングの一方の側面に固定される前記光学素子の側面を備える。結果として、光学モジュールの大きさ（volume）は、４つの検出器で４つの異なる偏光を得るために、第２の偏光ビームスプリッタに対して第１の偏光ビームスプリッタを回転させることが必要だった場合よりも実質的に小さい。
【００３５】
一実施の形態では、前記光学モジュールは、互いにほぼ平行な前記基準ビームを射出するか、互いにほぼ平行な前記測定ビームを射出するかの少なくとも一方をするように配置されている。
【００３６】
一実施の形態では、光学モジュールの前記ビームスプリッタ及び前記ビーム結合器は、前記光学モジュールの光学素子の群の一部であり、光学モジュール内の前記光学素子は、光学面接合（「Ａｎｓｐｒｅｎｇｅｎ」としても知られている）を使用して互いに接合される。したがって、光学素子は、互いに対してよりアライメントされる。実際には、自由度１だけが残されている（すなわち表面と平行な平面における回転）。
【００３７】
代わりの実施の形態では、光学モジュールの前記ビームスプリッタ及び前記ビーム結合器は、前記光学モジュールの光学素子の群の一部であり、前記複数の光学モジュールのうち１つの光学モジュールの前記光学素子が、接着剤、好ましくは光学的に中立の接着剤を使用して互いに接合される。
【００３８】
一実施の形態では、前記光学モジュールの各々は、前記他の光学モジュールによって射出された前記基準ビームと前記測定ビームとの少なくとも一方の経路の外側に配置されている。したがって、光学モジュールは、互いに干渉しない明らかに別個の要素である。
【００３９】
一実施の形態では、前記第２の光学モジュールは、近隣の第１の光学モジュール及び第３の光学モジュールの対応する平行な側面に対してスタックするための２つの平行な側面を有し、好ましくは、前記２つの平行な側面は、平らであるか、前記第２の光学モジュールがその基準ビームを射出することになっている方向にほぼ平行であるかの少なくとも一方である。
【００４０】
第２の態様によれば、本発明は、リソグラフィシステムを提供し、このリソグラフィシステムは、  
フレーム（４）と、  
前記フレーム（４）に装着され、ターゲット上に投影するための光学カラム（３６）と、  
前記光学カラム（３６）に対して前記ターゲットを移動するためのターゲットキャリア（６６）とを具備し、  
前記ターゲットキャリア（６６）には、第１の反射面（２１）が設けられ、前記光学カラム（３６）には、第２の反射面（８１）が設けられ、  
前記第１の反射面（２１）と前記第２の反射面（８１）との間の相対移動と回転との少なくとも一方を測定するためのここに説明されるような少なくとも１つの微分干渉計（１）を具備する。
【００４１】
本発明の干渉計は、その低コスト及び低ボリュームのおかげで、リソグラフィシステムでの使用に有効である。
【００４２】
第３の態様によれば、本発明は、多軸微分干渉計を組み立てる方法を提供し、この方法は、  
第１の光学モジュールと、第２の光学モジュールと、第３の光学モジュールとを与える工程を具備し、前記光学モジュールの各々は、  
ｉ）それぞれのコヒーレントビームを測定ビーム及び対応する基準ビームに分割するためのビームスプリッタと、  
ｉｉ）複数の反射面のうち一方の反射面によって反射された測定ビームを、複数の反射面のうち他方の反射面によって反射されたその関連する基準ビームと結合して対応する結合ビームにするためのビーム結合器と、  
ｉｉｉ）前記結合ビームを受光するためのビーム受光器とを具備し、  
この方法は、さらに、  
前記３つの対応する測定ビームをほぼ平行かつ同一平面上に射出するために前記光学モジュールをスタックで配置する工程と、  
前記第１の光学モジュールと前記第２の光学モジュールとの間に接着剤を塗布し、前記接着剤が硬化する前に前記第１の光学モジュールと前記第２の光学モジュールとを互いにアライメントさせる工程とをさらに具備する。
【００４３】
したがって、予め製造された光学モジュールは、微分干渉計スタック、又は微分干渉計スタックモジュールを形成するために、正確にアライメントされ、一緒に接合される。接着剤がいったん硬化すると、接合された光学モジュールは構造的に丈夫なモジュールを形成する。
【００４４】
例えば、第１及び第２の光学モジュールをアライメントすることは、前記ビームの位置を決定するために少なくとも１つの検出器に前記第１及び第２の光学モジュールから前記基準ビーム及び測定ビームを射出することと、前記測定されたビーム位置に基づいて前記第２の光学モジュールに対して前記第１の光学モジュールの位置と向きとの少なくとも一方を変化させることとを含む。
【００４５】
一実施の形態では、この方法は、前記第２の光学モジュールと前記第３の光学モジュールとの間にさらなる接着剤を塗布し、前記さらなる接着剤が硬化する前に前記第２の光学モジュールと前記第３の光学モジュールとを互いにアライメントさせる工程をさらに具備する。
【００４６】
したがって、第３の光学モジュールは、第２の光学モジュールとアライメントされる。したがって、第２の光学モジュールと第１の光学モジュールのアライメントがはじめに行われたとき、第３の光学モジュールも第１の光学モジュールと自動的にアライメントされる。あるいは、接着剤とさらなる接着剤とがまだ硬化していないとき、第１及び第３の光学モジュールと第２の光学モジュールを同時にアライメントさせることが可能である。
【００４７】
一実施の形態では、本発明の干渉計は、前記測定ビーム及び前記基準ビームが、これらビームを平行に向けるように与えられる偏光スプリッタとプリズムとを使用して生成され、各光学モジュールは、光学素子が装着される平らな面が設けられたハウジングを有し、前記ハウジングの各々は、直方体形状であることを特徴とする。
【００４８】
したがって、測定ビームと基準ビームとの両方が、単一平面に制限され、干渉計が現在知られているものよりもよりコンパクトであることを可能にする。この効果は、平らな面及び直方体形状に光学素子を装着することによってさらに高められ、これにより、光学モジュールがこれらの間に形成される無駄な空間なく横並びでうまく適合されることができる。干渉計のより小さなサイズは、比較的小さい光学素子が使用されなければならないことを意味するが、これは、実際には、より小さな光学素子がより大きなものよりも経済的に（より安く）製造されるので、他の利点である。
【００４９】
明細書に説明され示されるさまざまな態様及び特徴は、可能な限り個々に適用されることができる。これらの個々の態様、特に、添付の従属請求項に説明される態様及び特徴は、分割特許出願の主題となりうる。
【００５０】
本発明が、添付図面に示される例示的な実施の形態に基づいて説明される。
【図面の簡単な説明】
【００５１】
【図１Ａ】図１Ａは、本発明による多軸微分干渉計（微分干渉計スタックモジュール）の一実施の形態を示す図である。
【図１Ｂ】図１Ｂは、図１Ａの微分干渉計を示す分解図である。
【図２Ａ】図２Ａは、本発明による微分干渉計の他の実施の形態を示す図である。
【図２Ｂ】図２Ｂは、図２Ａの微分干渉計を示す分解図である。
【図３】図３は、本発明による微分干渉計の他の実施の形態を示す図である。
【図４Ａ】図４Ａは、本発明による多軸微分干渉計（微分干渉計スタックモジュール）に含まれることができる光学モジュールの断面を概略的に示す図である。
【図４Ｂ】図４Ｂは、本発明による微分干渉計スタックモジュールに含まれることができる光学モジュールの他の実施の形態の断面を概略的に示す図である。
【図５】図５は、本発明による微分干渉計スタックモジュールを組み立てるための方法の工程のフローチャートを示す図である。
【図６Ａ】図６Ａは、本発明によるリソグラフィシステムを概略的に示す側面図である。
【図６Ｂ】図６Ｂは、本発明によるリソグラフィシステムを概略的に示す側面図である。
【図６Ｃ】図６Ｃは、本発明によるリソグラフィシステムのさらなる一実施の形態を概略的に示す側面図である。
【発明を実施するための形態】
【００５２】
図１Ａは、第１の光学モジュール２０と、第２の光学モジュール４０と、第３の光学モジュール６０とを有する、本発明による多軸微分干渉計１を示す図である。これら光学モジュールは、開口２２、４２、６２からの３つの測定ビームを射出し、開口２１、４１、６１からの３つの対応する基準ビームを射出するように配置されている。測定ビーム及び基準ビームが非同一面内に射出されるので、自由度３で、測定ビームがその上に射出される反射測定面（第１の反射面）と、基準ビームがその上に射出される反射基準面（第２の反射面）との間の移動と回転との少なくとも一方を測定することが可能である。例えば、単一の微分干渉計１が、測定面と基準面との間のＸ方向に沿った移動を測定するために、同様に、これら反射面の間で、Ｚ方向に平行な軸Ｒｚのまわりの、及びＹ方向に平行な軸Ｒｙのまわりの回転を測定するために使用されることができる。
【００５３】
光学モジュール２０、４０、６０は、実質的に同じ構造である。第１の光学モジュール２０は、線の上のそれぞれの開口に最も近いエッジからそれぞれ距離ｄ６及びｄ５で線の上に配置された開口２１、２２を有する。同様に、第２の光学モジュール４０は、線の上のそれぞれの開口に最も近いエッジからそれぞれ距離ｄ５及びｄ６で線の上に配置された開口４１、４２を有し、第３の光学モジュール６０は、線の上のそれぞれの開口に最も近いエッジからそれぞれ距離ｄ６及びｄ５で線の上に配置された開口６１、６２を有する。開口２１、２２の間の距離ｄ１は、開口４１、４２の間の距離ｄ２にほぼ等しく、これは、開口６１、６２の間の距離ｄ３にほぼ等しい。開口２１と、開口２１、２２を通る線に沿った光学モジュール２０の最も近いエッジとの間の距離ｄ６は、距離ｄ４よりも大きく、これは、開口２１、６１の中心と交差する線に垂直な平面上に投影されたときの開口４１、２１間の距離である。したがって、微分干渉計の高さｈ１は、距離ｄ４よりも大きく、すなわち、干渉計の高さｈ１は、距離ｄ４に少なくとも部分的に依存している。
【００５４】
光学モジュール２０、４０、６０は同じ構造であるが、微分干渉計１における第２の光学モジュール４０の向きは、第１の光学モジュール２０及び第３の光学モジュール６０の向きに対して１８０度方向転換している。したがって、光学モジュール２０、４０、６０は、開口２１、４１、６１及び２２、４２、６２からそれぞれ基準ビーム及び対応する基準ビームを非同一平面上に射出するように配置されている。特に、基準ビームに対する開口２１、４１、６１間の角度αは、測定ビームに対する対応する開口２２、４２、６２の間の角度αにほぼ等しい。
【００５５】
第１の光学モジュール２０は、接着剤（図１Ｂ参照）によって第２の光学モジュール４０に取り付けられ、第２の光学モジュール４０は、さらなる接着剤（図１Ｂ参照）によって第３の光学モジュールに取り付けられ、これにより、単一の微分干渉計スタックモジュールを形成している。微分干渉計スタックモジュールの組立て中、接着剤又はさらなる接着剤がまだ硬化していない限り、光学モジュールの位置と向きとの少なくとも一方を互いに対してアライメントすることが可能である。したがって、光学モジュールの製造時の公差が緩和されることができ、また、接着剤がいったん硬化されると、結果として生じる微分スタックモジュールの要素が正確にアライメントされる。
【００５６】
図１Ｂは、図１Ａの微分干渉計スタックモジュールを示す分解図である。要素２０、４０、６０の各々は、それぞれの光学モジュールの外面を形成するそれぞれのハウジング２３、４３、６３を有する。ハウジングは、ほこりから各光学モジュール２０、４０、６０の内部を保護し、ロバスト構造の光学モジュールを与える。図示される実施の形態では、ハウジング２３、４３、６３の各々は、バー形状とも定義されるほぼ矩形の直方体形状を有し、平らな側面が、互いに対する要素２０、４０、６０のスタックを容易にする。このような平らな側面は、仕様に対してかなり正確に機械加工されることができる。矩形の直方体形状が好まれるが、代わりの実施の形態では、第２の光学モジュールは、近隣の第１の光学モジュール及び第３の光学モジュールの対応する平行な側面をくっつけてスタックするための２つの平行な側面を有し、好ましくは、前記２つの平行な側面は、第２の光学モジュールがその基準ビームを射出する方向にほぼ平行である。
【００５７】
他の実施の形態では、近隣の光学モジュールの側面は、光学モジュールがスタックで配置されたときに互いにほぼ適合して形成されるように、突出部及び対応する切り欠きを有する。
【００５８】
光学モジュールが熱の影響に適切に対処するように設計されていることが重要である。第１のアプローチでは、ハウジング２３、４３、６３は、低い熱膨張係数を有する材料を含むことができる。微分干渉計１の熱膨張に起因する基準面と測定面との間の測定における誤差は、かくして低減されるか回避される。低い熱膨張係数材料の一例は、ゼロデュア（商標）である。代わりのアプローチでは、ハウジングは、ハウジング内に含まれる光学系の熱膨張係数にほぼ等しい熱膨張係数を有する材料を含むことができる。このような光学系、例えば、ビームスプリッタ、ビーム受光器中のビーム結合器や光学系（図３参照）がハウジングの内部に装着されたとき、熱膨張に起因する光学系及びハウジングの変形がほぼ均一になり、これにより変形の影響が低減される。
【００５９】
第２の光学モジュール４０のハウジング４３は、第１の光学モジュール２０のハウジング２３のほぼ反対側の平らな側面２５に装着するためのほぼ平らな第１の側面４５を有する。第２の光学モジュール４０のハウジング４３は、さらに、第３の光学モジュール６０のハウジング６３のほぼ反対側の平らな側面６５に装着するための、第１の側面４５とは反対側のほぼ平らな側面４６を有する。
【００６０】
接着剤８０及びさらなる接着剤８１は、第１の光学モジュール２０の平らな側面２５と第２の光学モジュール４０の第１の平らな側面４５との間に、及び第２の光学モジュール４０の第２の平らな側面４６と第３の光学モジュール６０の平らな側面６５との間にそれぞれ配置されている。微分スタックモジュール１の組立て中、光学モジュール２０、４０、６０は、接着剤８０がまだ硬化されていないとき、互いに対してアライメントされることができる。組立て中、第１の光学モジュール２０の側面２５と第２の光学モジュール４０の第１の側面４５との間の距離を決定する接着剤８０の厚さは、アライメントのための必要性に応じて変えられることができることが留意される。さらなる接着剤８１の厚さも同様に変えられることができる。さらに、アライメント体を形成する接着剤とさらなる接着剤との少なくとも一方が、光学モジュールのアライメントのために必要とされるテーパ形状又は他の形状を有することができる。
【００６１】
図２Ａは、本発明による微分干渉計１００の第２の実施の形態を示す図である。微分干渉計１００は、第１の光学モジュール１２０と、第２の光学モジュール１４０と、第３の光学モジュール１６０とを有する。図１Ａに示される実施の形態でのように、光学モジュールの各々は、測定ビーム及び対応する基準ビームを射出するように構成された微分光学モジュールである。第１の光学モジュール１２０及び第３の光学モジュール１６０は、同様又は同一の構成である。第１の光学モジュールの開口１２１、１２２及び第３の光学モジュールの開口１６１、１６２は、それぞれ互いに距離ｄ１’、ｄ３’のところにあり、距離ｄ１’、ｄ３’はほぼ等しい。第２の光学モジュール１４０は、異なる構成であり、距離ｄ１及びｄ３よりも小さい距離ｄ２’だけ互いに離間された開口１４１、１４２を有する。基準ビームがこれを通って射出される開口１２１、１４１、１６１は、基準ビームが同一平面上に射出されるように、線の上に配置されている。開口１２１、１４１が第１の光学モジュール１２０の開口１２１及び第２の光学モジュール１６０の開口１６１を通る線に垂直な平面に投影されたとき、これらは一致し、すなわち、開口１２１、１４１間の、及び開口１４１、１６１間の距離がほぼゼロである。結果として、微分干渉計の高さｈ２は、実質的に、図１Ａに示される第１の実施の形態の高さｈ１よりも小さい。同様に、この第２の実施の形態による微分干渉計によって射出される基準ビーム及び測定ビームによって広げられた大きさは、第１の実施の形態による干渉計によって射出された基準ビーム及び測定ビームによって広げられた大きさよりも小さい。高さｈ２の方向に沿った微分干渉計によって射出されたビームによって必要とされる空間は、同様に減少される。微分干渉計が使用されるリソグラフィシステムなどの多くのシステムでは、空間が貴重であり、それ故、干渉計及び射出されるビームのための空間の必要性が減ることはかなり望ましい。図２Ａの実施の形態の欠点は、基準面の回転が測定に影響しないということである。このような測定はもはや微分的に生じないが、測定面の回転はなおも測定されることができる（この回転測定のための共通モードの拒否はない）。
【００６２】
ここに初めに説明されたように、測定ビームの開口１２２、１４２、１６２は、Ｌ字形態で配置され、これにより、自由度３で、測定面と基準面との間の移動と回転との少なくとも一方を測定することが可能なままである。
【００６３】
光学モジュール１２０、１４０間にアライメント体が配置され、これは、図２Ｂに示される。
【００６４】
図２Ｂは、図２Ａの微分干渉計を示す分解図である。光学モジュールの各々は、それぞれのハウジング１２３、１４３、１６３を有し、これらは、ダメージやほこりからそれぞれその対応する光学モジュール１２０、１４０、１６０の内部を保護し、完全な微分干渉計又は微分干渉計スタックモジュールを形成するために光学モジュールのスタックを容易にするほぼ平らな面を与える。組み立てられたとき、光学モジュールは、好ましくは初めにここに説明され、図１Ｂに示されるような接着剤によって、互いに対して固定される。図２Ｂに示される実施の形態では、テーパ状のくさび１８３、例えば好ましくは容易に機械加工されるセラミック材料のアルミニウムのテーパ状シートが、第１の光学モジュール１２０と第２の光学モジュールとの間に配置されている。明瞭化のために、くさび１８３の広い端部の幅は誇張されて図示されている。このような１つ以上のくさびが、互いに対して光学モジュールをアライメントするために、微分干渉計スタックモジュールの組立て中に使用されることができる。光学モジュールの位置が固定されたとき、例えば、光学モジュール間の接着剤が硬化されたとき、くさびは、光学モジュールをアライメントして保つアライメント体の一部を形成することができる。
【００６５】
図４Ａは、本発明で使用されるような光学モジュールの内部を示す断面図である。代表的には、本発明による微分干渉計で使用される光学モジュールの内部は、互いに同様である。図４Ａに示される光学モジュールでは、光の単一のコヒーレントビームｂは、偏光ビームスプリッタ３０１上に射出され、ビームｂを偏光された測定ビームＭｂと関連する偏光された基準ビームＲｂとに分割する。偏光ビームスプリッタ３０１を通過した後、測定ビームＭｂは、４分の１波長板３０３を通る。そして、入射した測定ビームは、反射測定面、すなわち鏡３２１で後方に反射され、再び４分の１波長板３０３を通過する。続いて、反射された測定ビームは、アイリス３４０を通過するように偏光ビームスプリッタ３０１で反射される。
【００６６】
同様に、基準ビームＲｂを形成するコヒーレントビームの一部は、４分の１波長板３０３を通ってプリズム３０２で反射され、反射基準面、すなわち鏡３８１に入射する。そして、基準ビームＲｂは、反射面３８１で後方に反射され、同じ４分の１波長板３０３を再び通過し、プリズム３０２で反射された後、アイリス３０４に向けて偏光ビームスプリッタ３０１を通る。
【００６７】
したがって、光学モジュールがアクティブであるとき、結合ビームＣｂはアイリス３０４を通過する。無偏光ビームスプリッタ３０５は、結合ビームを２つに分割し、結合ビームが分割された２つの結合ビームの一部は、反射された基準ビームの一部と反射された測定ビームの一部との両方を含むように分割される。２つのビームの一部は、ビームスプリッタ３０６、３０７をそれぞれ偏光することによって分割される。半波長板３２０が無偏光ビームスプリッタ３０５と偏光ビームスプリッタ３０７との間に配置されているので、検出器３０８、３０９、３１０、３１１で４つの異なる偏光を備えたビームを得るために、偏光ビームスプリッタ３０７に対して４５度の角度で偏光ビームスプリッタ３０６を配置する必要はない。
【００６８】
４つの別個の結合ビーム部分が検出器３０８、３０９、３１０、３１１で生じ、２つの検出器３０８、３１１は、平行な偏光を有し、２つの検出器３０９、３１０は、垂直な偏光を有する。半波長板３２０は、無偏光ビームスプリッタ３０５と偏光ビームスプリッタ３０７との間に設けられ、これら２つの要素の間のビームは、４５度だけ回転された偏光を得る。これは、有効に、この無偏光ビームスプリッタ３０５と協働する検出器３１０、３１１がそれぞれ４５度の偏光及び１３５度の偏光を測定することを意味する。検出器３０８、３０９、３１０、３１１は、これら４つの結合ビームの一部のパワーを４つのそれぞれの信号に変換し、移動の方向及び移動の大きさは、微分干渉計の分野で周知の技術を使用して得られることができる。検出器からの電気信号は、送信線を介してさらなる処理装置との接続のためのコネクタ３５４に伝送される。
【００６９】
光学モジュール３００は、光学素子３０１、３０２、３０３、３０５、３０６、３０７が装着される平らな内面３３７を備えたハウジング３２３を有する。ハウジング３２３内に配置されるこれら光学素子の全てが、ほこりと取り扱いに対してそれの内部で光学素子を保護する実質的に閉じたハウジングである。半波長板３２０は、無偏光ビームスプリッタ３０５に装着され、光学面接合（「Ａｎｓｐｒｅｎｇｅｎ」）によるビームスプリッタ３０７を偏光している。無偏光ビームスプリッタ３０５は、光学的に中立の接着剤３２２の層を使用して、偏光ビームスプリッタ３０６に取り付けられている。
【００７０】
図４Ｂは、本発明による微分干渉計で使用されるような光学モジュールの代わりの実施の形態を示す図である。パーツ４００、４０２、４０３、４４０は、図４Ａのパーツ３００、３０２、３０３、４４０に相当する。しかしながら、図４Ｂの実施の形態は、光学モジュール４００が結合ビームＣｂのパワーの測定のための単一の検出器のみを有する図４Ａの実施の形態ほど複雑ではない。結合ビーム中の反射された測定ビームＭｂと反射された基準ビームＲｂの間の干渉について、両ビームが平行な偏光を有することが重要である。そうでない場合、反射された基準ビームと反射された測定ビームとの間に偏光平面を有する線形偏光子が追加されることができる。
【００７１】
図５は、本発明による微分干渉計スタックモジュールを組み立てる方法のフローチャートを示す図である。ステップ５００において、ここに説明されるような少なくとも３つの光学モジュールが与えられ、ステップ５０１においてスタックで配置される。次に、接着剤は、第１の光学モジュールの一側面と、第１の光学モジュールの前記一側面に面している第２の光学モジュールの一側面との間に塗布される。ステップ５０３において、接着剤がまだ硬化していないうちに、第１の光学モジュールと第２の光学モジュールとが互いに対してアライメントされる。これは、例えば、前記第１及び第２の光学モジュールが、ビームの位置を検出するための検出器に基準ビームと参照ビームとの少なくとも一方を射出し、第２の光学モジュールに対して第１の光学モジュールの位置と向きとの少なくとも一方を調節することによってなされることができる。前記光学モジュールのアライメントはまた、これら要素を離間させるために第１の光学モジュールと第２の光学モジュールとの間に配置されたくさびなどの１以上のアライメント体を挿入することを含んでもよい。これらくさびは、接着剤の硬化中に適所に残されてもよいし、あるいは、接着剤が完全に硬化する前に取り除かれてもよい。
【００７２】
ステップ５０４中、接着剤が硬化するまで、第１及び第２の光学モジュールは適所に保持される。選択的なステップ５０５において、ステップ５０２〜５０４に対応するステップは、第３の光学モジュールと第２の光学モジュールをアライメントするために繰り返される。ステップ５０５は、ステップ５０２〜５０４と少なくとも部分的に同時に行われてもよく、すなわち、第２の光学モジュールは、第１及び第３の光学モジュールとほぼ同時にアライメントされてもよいことが留意される。
【００７３】
図６Ａは、本発明によるリソグラフィシステムを示す図である。システムは、光軸３７を備えた光学カラム３６が装着されるフレーム４を有する。光学カラム３６は、ターゲット７上に複数の露光小ビーム１０を投影するように構成されている。選択された露光小ビームのＯＮとＯＦＦとを選択的に切り替えることによって、光学カラムより下のターゲットの露光表面がパターニングされることができる。ターゲットはウェーハテーブル６に置かれ、続いて、チャック６６に置かれる。チャック６６は、チャック６６がその上に置かれるステージ９によって光学カラム３６に対して移動可能である。図示される実施の形態では、チャック６６、ウェーハテーブル６及びステージ９は、光学カラム３６に対してターゲット７を移動させるためのターゲットキャリアを形成している。
【００７４】
チャック６６は、第１の反射面（すなわち鏡）２１を有し、第１の反射面は、ターゲット７又はその露光面とシステム内でほぼ同じレベル又は高さのほぼ平らな面を有する。光学カラムは、第２の反射面（すなわち鏡）８１を有し、第２の反射面は、光学カラムの突出端部に近いほぼ平らな面を有する。システムは、さらに、運動マウント９６２、９６３、９６４によってフレーム４に装着されたモジュール式干渉計ヘッド９６０、すなわち微分干渉計モジュールを有する。モジュール式干渉計ヘッド９６０は、第２の反射面８１上に基準ビームＲｂを、及び第１の反射面２１上に関連する測定ビームＭｂを射出する。この図には示されないが、基準ビームは３つの基準ビームを含み、測定ビームは３つの測定ビームを含み、第１の反射面８１と第２の反射面２１との間の相対移動は、基準ビームとその関連する測定ビームとの間の干渉を評価することによって測定される。
【００７５】
３つの測定ビームＭｂ及び３つの基準ビームＲｂは、コヒーレント光のビームを供給するレーザユニット３１から生じ、モジュール９９９のビーム源の一部を形成する光ファイバ９２によって干渉計モジュール９９９に結合される。
【００７６】
図６Ｂは、図６Ａのリソグラフィシステムを概略的に示す図であり、リソグラフィシステムは、真空ハウジング２を有する。真空ハウジング２の内部には、干渉計ヘッド９６及びその接続部、第１の反射面８１及び第２の反射面２１のみが図示されるが、図１Ａのターゲットキャリアが真空チャンバ２内に同様に収容されていることが理解される。
【００７７】
光ファイバ９２は、レーザ３１から、真空密着フィードスルー９９１を介して真空チャンバ２の壁を通過する。測定ビームとこれらの関連する基準ビームとの間の干渉を示す信号は、信号線５４を介して干渉計モジュール９９９から真空チャンバ２を出て伝送され、真空密着フィードスルー９６１を通過する。
【００７８】
図６Ｃは、図６Ａに示されるシステムと同様のリソグラフィシステムを概略的に示す図であり、システムは、複数の荷電粒子小ビームを与えるための電子光学系３を有する荷電粒子ビームリソグラフィシステムであり、投影光学系５は、ターゲット７の露光面上に前記荷電粒子小ビームを個々に合焦するための複数の静電レンズを有する。投影光学系５は、フレーム４に対して投影光学系の向きと位置との少なくとも一方を調節するためのアクチュエータ６７を有する。システムは、さらに、ステージ１１の移動を制御するためのステージ制御ユニット９５に位置と移動との少なくとも一方の信号を与えるように構成された信号処理モジュール９４を有する。信号は、信号線５４、５８を介して干渉計モジュール９９９及びアライメントセンサ５７から真空密着フィードスルー９６１，９５９を通って信号処理モジュール９４に送信され、ステージ１１と投影光学系５との少なくとも一方を駆動させるための信号を与えるためにこれら信号を処理する。ウェーハテーブル６の移動、したがって投影光学系５に対するこれにより支持されたターゲット７の移動は、かくして、連続的に監視され補正される。
【００７９】
図示される実施の形態では、チャック６６は、運動マウント８によって移動可能なステージ１１に支持され、ステージ９が、干渉計モジュール９９９に向かう又は干渉計モジュール９９９から離れる方向に投影光学系５に対して移動されることができる。微分干渉計モジュール９９９は、投影光学系の反射面に向かって３つの基準ビームＲｂを射出し、ウェーハテーブルの反射面に向かって３つの測定ビームＭｂを射出する。
【００８０】
要約すると、本発明は、干渉計スタックモジュールの外部の第１の反射面と、干渉計スタックモジュールの外部の第２の反射面との間の移動と回転との少なくとも一方を測定するための微分干渉計又は微分干渉計スタックモジュールを具備するリソグラフィシステムに関し、前記干渉計スタックモジュールは、第１の光学モジュールと、第２の光学モジュールと、第３の光学モジュールとを有し、前記第２の光学モジュールは、前記第１の光学モジュールと前記第３の光学モジュールとの間に配置され、前記光学モジュールの各々は、単一の軸に沿って前記第２の反射面に対する前記第１の反射面の移動を測定するための手段を有する。本発明は、さらに、このような微分干渉計スタックモジュールを組み立てるための方法に関する。
【００８１】
上の説明は、好ましい実施の形態の動作を示すために包含され、本発明の範囲を限定するのが目的でないことが理解される。上記の議論から、本発明の範囲に包含される変形例が当業者に明らかであろう。
【図１Ａ】
2015530587.tif 000003
【図１Ｂ】
2015530587.tif 000004
【図２Ａ】
2015530587.tif 000005
【図２Ｂ】
2015530587.tif 000006
【図３】
2015530587.tif 000007
【図４Ａ】
2015530587.tif 000008
【図４Ｂ】
2015530587.tif 000009
【図５】
2015530587.tif 000010
【図６Ａ】
2015530587.tif 000011
【図６Ｂ】
2015530587.tif 000012
【図６Ｃ】
2015530587.tif 000013
【手続補正書】
【提出日】平成27年6月2日(2015.6.2)
【手続補正１】
【補正対象書類名】特許請求の範囲
【補正対象項目名】全文
【補正方法】変更
【補正の内容】
【特許請求の範囲】
【請求項１】
第１の反射面（２１，３２１）と第２の反射面（８１，３８１）との間の移動と回転との少なくとも一方を測定するための多軸微分干渉計（１）であって、
前記測定は、少なくとも３対のビームを使用して実行され、
各対は、前記第１の反射面（２１，３２１）に射出される測定ビーム（Ｍｂ）と、前記第２の反射面（８１，３８１）に射出される基準ビーム（Ｒｂ）とによって形成され、
干渉計（１）は、第１の光学モジュール（２０）と、第２の光学モジュール（４０）と、第３の光学モジュール６０）とを具備し、各光学モジュール（２０，４０，６０）は、それぞれのコヒーレントビームを受光して、これらから前記３対の１つを生成するように構成されている多軸微分干渉計（１）において、
前記光学モジュール（２０，４０，６０）は、横並びスタックを形成するようにスタックで配置され、これにより、多軸微分干渉計は、微分干渉計スタックモジュールを形成し、
前記３つの光学モジュール（２０，４０，６０）は、前記測定ビーム（Ｍｂ）を非同一平面上に、かつ平行に射出するように配置されていることを特徴とする多軸微分干渉計（１）。
【請求項２】
前記光学モジュール（２０，４０，６０）は、同じ形態を有する請求項１の多軸微分干渉計（１）。
【請求項３】
全ての光学モジュール（２０，４０，６０）が、前記光学モジュールの各々が前記測定ビームを通過させるための開口と前記基準ビームを通過させるための開口とを有するように非対称であるように向けられたこれらのそれぞれの開口（１２１，１２２，１４１，１４２，１６１，１６２）を有し、
各光学モジュール（２０，４０，６０）内で、前記開口は、線の上に配置され、各々は、前記線に沿った前記光学モジュールのハウジングの最も近いそれぞれのエッジから異なる距離（ｄ５，ｄ６）で配置され、
前記第１の光学モジュール（２０）及び前記第３の光学モジュール（６０）は、同じ回転向きで微分干渉計に配置され、前記第２の光学モジュール（４０）は、前記向きに対して１８０度で、前記開口を含む面に平行な平面に回転して配置されている請求項１又は２の多軸微分干渉計（１）。
【請求項４】
前記第１の光学モジュール及び前記第３の光学モジュールは、同一の構造であり、
前記第２の光学モジュールは、異なる構造であり、
構造の差は、各光学モジュールの前記基準ビーム及び対応する前記測定ビームを射出するための開口間の距離で規定され、この距離は、同一形状の前記第１の光学モジュール及び前記第３の光学モジュールに対しては等しく、前記第２の光学モジュールに対しては異なる請求項１の多軸微分干渉計（１）。
【請求項５】
前記光学モジュール（２０，４０，６０）の各々は、
ｉ）それぞれのコヒーレントビームを前記測定ビーム（Ｍｂ）及び対応する前記基準ビーム（Ｒｂ）に分割するためのビームスプリッタ（３０１，４０１）と、
ｉｉ）前記第１の反射面（２１，３２１）によって反射された前記測定ビーム（Ｍｂ）を、前記第２の反射面（８１，３８１）によって反射されたその関連する基準ビーム（Ｒｂ）と結合して対応する結合ビーム（Ｃｂ）にするためのビーム結合器（３０１，４０１）と、
ｉｉｉ）前記結合ビーム（Ｃｂ）を受光するためのビーム受光器（３０５，３０６，３０７，３０８，３０９，３１０，３１１，４０８）とを具備する請求項１ないし４のいずれか１の多軸微分干渉計（１）。
【請求項６】
前記光学モジュール（２０，４０，６０）の前記ビーム受光器は、各々、
前記結合ビーム（Ｃｂ）を第１の分割ビームと第２の分割ビームとに分割するための無偏光ビームスプリッタ（３０５）を具備し、各分割ビームは、前記基準ビーム（Ｒｂ）と前記測定ビーム（Ｍｂ）との成分を含み、
前記第１の分割ビームを、第１の偏光を有する第１の偏光ビームと、第２の偏光を有する第２の偏光ビームとに分割するための第１の偏光ビームスプリッタ（３０６）と、
前記第２の分割ビームを、第３の偏光を有する第３の偏光ビームと、第４の偏光を有する第４の偏光ビームとに分割するための第２の偏光ビームスプリッタ（３０７）と、
前記無偏光ビームスプリッタ（３０５）と前記第１の偏光ビームスプリッタ（３０６）との間に、又は前記無偏光ビームスプリッタ（３０５）と前記第２の偏光ビームスプリッタ（３０７）との間に配置された半波長板（３２０）と、
前記第１の偏光ビーム、第２の偏光ビーム、第３の偏光ビーム及び第４の偏光ビームのビームパワーをそれぞれ検出するための第１の検出器（３０８）、第２の検出器（３０９）、第３の検出器（３１０）及び第４の検出器（３１１）とを具備する請求項５の多軸微分干渉計（１）。
【請求項７】
前記光学モジュールは、互いに取り付けられている請求項１ないし６のいずれか１の多軸微分干渉計。
【請求項８】
前記第１の光学モジュール（２０）と前記第２の光学モジュール（４０）との間に配置された第１のアライメント体（８０）と、前記第２の光学モジュール（４０）と前記第３の光学モジュール（６０）との間に配置された第２のアライメント体（８１）との少なくとも一方をさらに具備する請求項１ないし７のいずれか１の多軸微分干渉計。
【請求項９】
前記第１のアライメント体（８０）と前記第２のアライメント体（８１）との少なくとも一方は、硬化された接着剤と、テーパ状のくさび（１８３）との少なくとも一方を含む請求項８の多軸微分干渉計（１）。
【請求項１０】
前記基準ビーム（Ｒｂ）は、前記測定ビーム（Ｍｂ）に対応する形態で射出される請求項１ないし９のいずれか１の多軸微分干渉計（１）。
【請求項１１】
前記測定ビームは、Ｌ字形態で射出され、前記測定ビームのうち第１の測定ビーム及び第２の測定ビームが第１の平面に広がり、前記測定ビームのうち前記第２の測定ビーム及び第３の測定ビームが前記第１の平面に垂直な第２の平面に広がり、前記基準ビームは同じ形態で射出される請求項１０の多軸微分干渉計。
【請求項１２】
前記光学モジュール（２０，４０，６０）は、これらのそれぞれの基準ビーム（Ｒｂ）が同一平面上に射出されるように配置されている請求項１ないし１０のいずれか１の多軸微分干渉計（１）。
【請求項１３】
前記光学モジュールの各々は、前記光学モジュールの外面を形成するハウジングを有する請求項１ないし１２のいずれか１の多軸微分干渉計（１）。
【請求項１４】
前記第１の光学モジュールの前記ハウジングは、前記第２の光学モジュールの前記ハウジングの第１の平らな側面に面している平らな側面を有し、
前記第２の光学モジュールの前記ハウジングは、前記第１の平らな側面の反対側の、前記第３の光学モジュールの前記ハウジングの平らな側面に面している第２の平らな側面を有する請求項１３の多軸微分干渉計（１）。
【請求項１５】
近隣の光学モジュールの側面は、前記光学モジュールがスタックで配置されたときに互いに適合して形成されるように、突出部及び対応する切り欠きを有する請求項１３の多軸微分干渉計（１）。
【請求項１６】
前記光学モジュールの前記ハウジングは、ほぼ等しい外寸と形状との少なくとも一方を有する請求項１３ないし１５のいずれか１の多軸微分干渉計（１）。
【請求項１７】
前記測定ビーム及び前記基準ビームは、これらビームを平行に向けるように与えられる偏光スプリッタ（３０１）とプリズム（３０２）とを使用して生成され、各光学モジュールは、光学素子（３０１，３０２，３０３；３０５，３０６，３０７）が装着される平らな面（３３７）が設けられたハウジング（３２３；１２３；１４３；１６３；２３；４３；６３）を有し、前記ハウジングの各々は、直方体形状であることを特徴とする請求項１ないし１６のいずれか１の多軸微分干渉計（１）。
【請求項１８】
フレーム（４）と、
前記フレーム（４）に装着され、ターゲット上に投影するための光学カラム（３６）と、
前記光学カラム（３６）に対して前記ターゲットを移動するためのターゲットキャリア（６６）とを具備し、
前記ターゲットキャリア（６６）には、第１の反射面（２１）が設けられ、前記光学カラム（３６）には、第２の反射面（８１）が設けられ、
前記第１の反射面（２１）と前記第２の反射面（８１）との間の相対移動と回転との少なくとも一方を測定するための請求項１ないし１７のいずれか１の少なくとも１つの微分干渉計（１）とを具備するリソグラフィシステム。
【請求項１９】
多軸微分干渉計（１）を組み立てる方法であって、
第１の光学モジュール（２０）と、第２の光学モジュール（４０）と、第３の光学モジュール（６０）とを与える工程を具備し、前記光学モジュールの各々は、
ｉ）それぞれのコヒーレントビームを測定ビーム（Ｍｂ）及び対応する基準ビーム（Ｒｂ）に分割するためのビームスプリッタ（３０１，４０１）と、
ｉｉ）複数の反射面のうち一方の反射面（２１，３２１）によって反射された測定ビーム（Ｍｂ）を、複数の反射面のうち他方の反射面（８１，３８１）によって反射されたその関連する基準ビーム（Ｒｂ）と結合して対応する結合ビーム（Ｃｂ）にするためのビーム結合器（３０１，４０１）と、
ｉｉｉ）前記結合ビーム（Ｃｂ）を受光するためのビーム受光器（３０５，３０６，３０７，３０８，３０９，３１０，３１１，４０８）とを具備し、
この方法は、さらに、
前記３つの対応する測定ビーム（Ｍｂ）をほぼ平行かつ同一平面上に射出するために前記光学モジュール（２０，４０，６０）をスタックで配置する工程と、
前記第１の光学モジュール（２０）と前記第２の光学モジュール（４０）との間に接着剤（８０）を塗布し、前記接着剤（８０）が硬化する前に前記第１の光学モジュール（２０）と前記第２の光学モジュール（４０）とを互いにアライメントさせる工程とをさらに具備する方法。
【請求項２０】
前記第２の光学モジュール（４０）と前記第３の光学モジュール（６０）との間にさらなる接着剤（８１）を塗布し、前記さらなる接着剤（８１）が硬化する前に前記第２の光学モジュール（４０）と前記第３の光学モジュール（６０）とを互いにアライメントさせる工程をさらに具備する請求項１９の方法。
【手続補正２】
【補正対象書類名】明細書
【補正対象項目名】００８１
【補正方法】変更
【補正の内容】
【００８１】
上の説明は、好ましい実施の形態の動作を示すために包含され、本発明の範囲を限定するのが目的でないことが理解される。上記の議論から、本発明の範囲に包含される変形例が当業者に明らかであろう。
出願当初の特許請求の範囲に記載された発明を以下に付記する。
［１］第１の反射面（２１，３２１）と第２の反射面（８１，３８１）との間の移動と回転との少なくとも一方を測定するための多軸微分干渉計（１）であって、前記測定は、少なくとも２対のビームを使用して実行され、各対は、前記２つの反射面のうち一方の反射面（２１，３２１）に射出される測定ビーム（Ｍｂ）と、前記２つの反射面のうち他方の反射面（８１，３８１）に射出される基準ビーム（Ｒｂ）とによって形成され、干渉計（１）は、第１の光学モジュール（２０）と、第２の光学モジュール（４０）とを具備し、各光学モジュール（２０，４０）は、それぞれのコヒーレントビームを受光して、これらから前記２対の一方を生成するように構成されている多軸微分干渉計（１）。
［２］前記光学モジュール（２０，４０，６０）は、同じ形態を有する［１］の多軸微分干渉計（１）。
［３］前記光学モジュール（２０，４０，６０）は、横並びスタックを形成するように配置されている［１］又は［２］の多軸微分干渉計（１）。
［４］前記３つの光学モジュール（２０，４０，６０）は、ほぼ平行な前記測定ビーム（Ｍｂ）を射出するように配置されている［２］又は［３］の多軸微分干渉計（１）。
［５］前記光学モジュール（２０，４０，６０）の各々は、
ｉ）それぞれのコヒーレントビームを前記測定ビーム（Ｍｂ）及び対応する前記基準ビーム（Ｒｂ）に分割するためのビームスプリッタ（３０１，４０１）と、
ｉｉ）前記２つの反射面のうち一方の反射面（２１，３２１）によって反射された前記測定ビーム（Ｍｂ）を、前記２つの反射面のうち他方の反射面（８１，３８１）によって反射されたその関連する基準ビーム（Ｒｂ）と結合して対応する結合ビーム（Ｃｂ）にするためのビーム結合器（３０１，４０１）と、
ｉｉｉ）前記結合ビーム（Ｃｂ）を受光するためのビーム受光器（３０５，３０６，３０７，３０８，３０９，３１０，３１１，４０８）とを具備する［１］ないし［４］のいずれか１の多軸微分干渉計（１）。
［６］前記光学モジュールは、互いに取り付けられている［１］ないし［５］のいずれか１の多軸微分干渉計。
［７］前記第１の光学モジュール（２０）と前記第２の光学モジュール（４０）との間に配置された第１のアライメント体（８０）をさらに具備する［１］ないし［６］のいずれか１の多軸微分干渉計。
［８］前記測定は、３対のビームを使用して実行され、各対は、測定ビーム（Ｍｂ）と基準ビーム（Ｒｂ）とによって形成され、干渉計（１）は、さらなるそれぞれのコヒーレントビームを受光して、これらからさらなる測定ビーム（Ｍｂ）とさらなる基準ビーム（Ｒｂ）とによって形成されたさらなる１対のビームを生成するように構成された第３の光学モジュール（６０）を具備する［１］ないし［７］のいずれか１の多軸微分干渉計（１）。
［９］第２のアライメント体（８１）が、前記第２の光学モジュール（４０）と前記第３の光学モジュール（６０）との間に配置されている［８］の多軸微分干渉計（１）。
［１０］前記３つの光学モジュール（２０，４０，６０）は、前記測定ビーム（Ｍｂ）を非同一平面上に射出するように配置されている［８］又は［９］の多軸微分干渉計（１）。
［１１］前記第１のアライメント体（８０）は、硬化された接着剤を含む［７］に直接的又は間接的に従属する［７］ないし［１０］のいずれか１の多軸微分干渉計（１）。
［１２］前記第２のアライメント体（８１）は、硬化された接着剤を含む［９］に直接的又は間接的に従属する［９］ないし［１１］のいずれか１の多軸微分干渉計（１）。
［１３］前記第１のアライメント体（８０）は、テーパ状のくさび（１８３）を有する［７］に直接的又は間接的に従属する［７］ないし［１２］のいずれか１の多軸微分干渉計（１）。
［１４］前記第２のアライメント体（８１）は、テーパ状のくさび（１８３）を有する［９］に直接的又は間接的に従属する［９］ないし［１３］のいずれか１の多軸微分干渉計（１）。
［１５］前記基準ビーム（Ｒｂ）は、前記測定ビーム（Ｍｂ）に対応する形態で射出される［１］ないし［１４］のいずれか１の多軸微分干渉計（１）。
［１６］前記光学モジュール（２０，４０，６０）は、これらのそれぞれの基準ビーム（Ｒｂ）がほぼ同一平面上に射出されるように配置されている［１］ないし［１５］のいずれか１の多軸微分干渉計（１）。
［１７］全ての光学モジュール（２０，４０，６０）が、前記光学モジュールの各々が前記測定ビームを通過させるための開口と前記基準ビームを通過させるための開口とを有するように非対称であるように向けられたこれらのそれぞれの開口（１２１，１２２，１４１，１４２，１６１，１６２）を有し、各光学モジュール（２０，４０，６０）内で、前記開口は、線の上に配置され、各々は、前記線に沿った前記光学モジュールのハウジングの最も近いそれぞれのエッジから異なる距離（ｄ５，ｄ６）で配置され、前記第１の光学モジュール（２０）及び前記第３の光学モジュール（６０）は、同じ回転向きで微分干渉計に配置され、前記第２の光学モジュール（４０）は、前記向きに対して１８０度で、前記開口を含む面に平行な平面で回転して配置されている［１６］の多軸微分干渉計（１）。
［１８］前記光学モジュール（２０，４０，６０）の前記ビーム受光器は、各々、前記結合ビーム（Ｃｂ）を第１の分割ビームと第２の分割ビームとに分割するための無偏光ビームスプリッタ（３０５）を具備し、各分割ビームは、前記基準ビーム（Ｒｂ）と前記測定ビーム（Ｍｂ）との成分を含み、前記第１の分割ビームを、第１の偏光を有する第１の偏光ビームと、第２の偏光を有する第２の偏光ビームとに分割するための第１の偏光ビームスプリッタ（３０６）と、前記第２の分割ビームを、第３の偏光を有する第３の偏光ビームと、第４の偏光を有する第４の偏光ビームとに分割するための第２の偏光ビームスプリッタ（３０７）と、前記無偏光ビームスプリッタ（３０５）と前記第１の偏光ビームスプリッタ（３０６）との間に、又は前記無偏光ビームスプリッタ（３０５）と前記第２の偏光ビームスプリッタ（３０７）との間に配置された半波長板（３２０）と、前記第１の偏光ビーム、第２の偏光ビーム、第３の偏光ビーム及び第４の偏光ビームのビームパワーをそれぞれ検出するための第１の検出器（３０８）、第２の検出器（３０９）、第３の検出器（３１０）及び第４の検出器（３１１）とを具備する［５］に直接的又は間接的に従属する［１］ないし［１７］のいずれか１の多軸微分干渉計（１）。
［１９］フレーム（４）と、前記フレーム（４）に装着され、ターゲット上に投影するための光学カラム（３６）と、前記光学カラム（３６）に対して前記ターゲットを移動するためのターゲットキャリア（６６）とを具備し、前記ターゲットキャリア（６６）には、第１の反射面（２１）が設けられ、前記光学カラム（３６）には、第２の反射面（８１）が設けられ、前記第１の反射面（２１）と前記第２の反射面（８１）との間の相対移動と回転との少なくとも一方を測定するための［１］ないし［１８］のいずれか１の少なくとも１つの微分干渉計（１）とを具備するリソグラフィシステム。
［２０］多軸微分干渉計（１）を組み立てる方法であって、第１の光学モジュール（２０）と、第２の光学モジュール（４０）と、第３の光学モジュール（６０）とを与える工程を具備し、前記光学モジュールの各々は、
ｉ）それぞれのコヒーレントビームを測定ビーム（Ｍｂ）及び対応する基準ビーム（Ｒｂ）に分割するためのビームスプリッタ（３０１，４０１）と、
ｉｉ）複数の反射面のうち一方の反射面（２１，３２１）によって反射された測定ビーム（Ｍｂ）を、複数の反射面のうち他方の反射面（８１，３８１）によって反射されたその関連する基準ビーム（Ｒｂ）と結合して対応する結合ビーム（Ｃｂ）にするためのビーム結合器（３０１，４０１）と、
ｉｉｉ）前記結合ビーム（Ｃｂ）を受光するためのビーム受光器（３０５，３０６，３０７，３０８，３０９，３１０，３１１，４０８）とを具備し、
この方法は、さらに、前記３つの対応する測定ビーム（Ｍｂ）をほぼ平行かつ同一平面上に射出するために前記光学モジュール（２０，４０，６０）をスタックで配置する工程と、前記第１の光学モジュール（２０）と前記第２の光学モジュール（４０）との間に接着剤（８０）を塗布し、前記接着剤（８０）が硬化する前に前記第１の光学モジュール（２０）と前記第２の光学モジュール（４０）とを互いにアライメントさせる工程とをさらに具備する方法。
［２１］前記第２の光学モジュール（４０）と前記第３の光学モジュール（６０）との間にさらなる接着剤（８１）を塗布し、前記さらなる接着剤（８１）が硬化する前に前記第２の光学モジュール（４０）と前記第３の光学モジュール（６０）とを互いにアライメントさせる工程をさらに具備する［２０］の方法。
［２２］前記測定ビーム及び前記基準ビームは、これらビームを平行に向けるように与えられる偏光スプリッタ（３０１）とプリズム（３０２）とを使用して生成され、各光学モジュールは、光学素子（３０１，３０２，３０３；３０５，３０６，３０７）が装着される平らな面（３３７）が設けられたハウジング（３２３；１２３；１４３；１６３；２３；４３；６３）を有し、前記ハウジングの各々は、直方体形状であることを特徴とする［１］ないし［１８］のいずれか１の多軸微分干渉計（１）。
【国際調査報告】
2015530587.tif 000014
2015530587.tif 000015